(57)【要約】      （修正有）【課題】帽子に、着脱自在（取付け、取外し可能）に設けられる照明部を備えたライト付き帽子を提供する。【解決手段】帽子の鍔２に設けた透明箇所３の上に、照明部６を設け、照明部６の本体部を、帽子のクラウン部１ａ前側に設けた弾性帯体５に、取付け、取外し自在に設ける構成である。鍔２に負担を掛けることがない構造であって、かつ歩行、起立等動作の時に、頭を、照らす方向に、いちいち動かす所作を要さず、自然の動きで、照らし得るライト付き帽子を提供できる。【選択図】図１
0003181306.tif 000002
【実用新案登録請求の範囲】
【請求項１】
帽子の鍔に透明箇所を設け、この透明箇所の上に、照明部を設け、この照明部の本体部を、前記帽子のクラウン部の前側に設けた弾性帯体に、取付け、取外し自在に設ける構成としたライト付き帽子。
【請求項２】
請求項１に記載のライト付き帽子であって、
前記照明部は、弾性帯体差込み部と、この差込み部を一方に備えた本体部と、この本体部の他方に設けた軸と、この軸を包被する鞘部に設けたライト部とで構成し、前記ライト部と鞘部は、前記軸に対して、略９０°範囲内で可動自在とする構成としたライト付き帽子。
【請求項３】
請求項１に記載のライト付き帽子であって、
前記透明箇所に、ワッペンを取付け、取外し可能とするとともに、クラウン部前側と、前記弾性帯体との隙間に、収容可能とする構成としたライト付き帽子。
【請求項４】
請求項２に記載のライト付き帽子であって、
前記ラィト部には、ＬＥＤの電球を設ける構成としたライト付き帽子。
【考案の詳細な説明】
【技術分野】
【０００１】
本考案は、帽子に、着脱自在（取付け、取外し可能）に設けられる照明部を備えたライト付き帽子に関する。
【背景技術】
【０００２】
帽子の鍔裏面にライトを取付けた、所謂、ライト付き帽子は、下向きにライトの光が照射されることから、夜間、又は暗闇、暗がり等の歩行、起立時、ガードマンの警備等の照明として、又は下向き作業（所作を含む）、例えば、夜間、又は暗闇、暗がり等における各種作業、釣場における餌付け・針付け（針取換え、修理）、車輛・乗り物等の修理、パンク処理、又は倉庫の作業、事務処理、整頓、その他のレジャー全般等の所作、に有効と考えられる。これに類するものとして、実願平３−１２１６０１号公報に記載の「ライト付き帽子」がある。この考案は、鍔の裏面先端にライトを取付けた構造である。しかし、この考案は、鍔の裏面であり、視界を遮ること、違和感を感ずること、等の改良点がある。
【０００３】
また、帽子の鍔を改良し、この鍔に他の生活備品を設ける多目的帽子がある。例えば、実用登録第３０２８９８４号公報に記載の「扇風機付帽子」がある。この考案は、鍔に孔を開設し、この孔の上方に扇風機をセットする構造であり、風を顔面、その他の箇所に向かって送る構造である。しかし、この考案は、鍔に負担、及び／又は、頭に負担が掛り、違和感があり、少し改良の余地が考えられる。
【０００４】
尚、市販で、ライト（ＬＥＤ）付き帽子が見られるが、前記文献（２）と略同様な構造であり、その改良の余地も略同様と考えられる。
【０００５】
【特許文献１】実願平３−１２１６０１号公報
【特許文献２】実用登録第３０２８９８４号公報
【考案の概要】
【考案が解決しようとする課題】
【０００６】
上記に鑑み、本考案は、鍔に負担を掛けることがない構造であって、かつ夜間、暗闇、又は暗がり等において、歩行、起立等動作の時には、足元を照らし、かつ前記各種動作と、それぞれ所作、作業、事務時には、手元を照らし得るライト付き帽子を提供する。また、前記各種動作と、それぞれ所作、作業、事務時において、頭を、照らす方向に、いちいち動かす所作を要さず、自然の動きで、照らし得るライト付き帽子を提供する。
これらの目的を達成するために、本考案は、次の「課題を解決するための手段」に開示した構造を提案する。
【課題を解決するための手段】
【０００７】
請求項１は、帽子の鍔に透明箇所を設け、この透明箇所の上に、照明部を設け、この照明部の本体部を、前記帽子のクラウン部の前側に設けた弾性帯体に、取付け、取外し自在に設ける構成としたライト付き帽子である。
【０００８】
請求項２は、請求項１に記載のライト付き帽子であって、
前記照明部は、弾性帯体差込み部と、この差込み部を一方に備えた本体部と、この本体部の他方に設けた軸と、この軸を包被する鞘部に設けたライト部とで構成し、前記ライト部と鞘部は、前記軸に対して、略９０°範囲内で可動自在とする構成としたライト付き帽子である。
【０００９】
請求項３は、請求項１に記載のライト付き帽子であって、
前記透明箇所に、ワッペンを取付け、取外し可能とするとともに、クラウン部前側と、前記弾性帯体との隙間に、収容可能とする構成としたライト付き帽子である。
【００１０】
請求項４は、請求項２に記載のライト付き帽子であって、
前記ラィト部には、ＬＥＤの電球を設ける構成としたライト付き帽子である。
【考案の効果】
【００１１】
請求項１の考案は、帽子の鍔に透明箇所を設け、透明箇所の上に、照明部を設け、照明部の本体部を、帽子のクラウン部の前側に設けた弾性帯体に、取付け、取外し自在に設ける構成としたライト付き帽子である。
【００１２】
従って、請求項１では、鍔に負担を掛けることがない構造であって、かつ夜間、暗闇、又は暗がり等において、歩行、起立等動作の時には、足元を照らし、かつ前記各種動作と、それぞれ所作、作業、事務時には、手元を照らし得るライト付き帽子を提供できる特徴がある。また、請求項１では、この前記各種動作と、それぞれ所作、作業、事務時において、頭を、照らす方向に、いちいち動かす所作を要さず、自然の動きで、照らし得るライト付き帽子を提供できる実益がある。
【００１３】
請求項２の考案は、請求項１に記載のライト付き帽子であって、
照明部は、弾性帯体差込み部と、差込み部を一方に備えた本体部と、本体部の他方に設けた軸と、軸を包被する鞘部に設けたライト部とで構成し、ライト部と鞘部は、軸に対して、略９０°範囲内で可動自在とする構成としたライト付き帽子である。
【００１４】
従って、請求項２では、請求項１の特徴、実益を達成できる、照明部の構造を提供できる効果がある。
【００１５】
請求項３の考案は、請求項１に記載のライト付き帽子であって、
透明箇所に、ワッペンを取付け、取外し可能とするとともに、クラウン部前側と、弾性帯体との隙間に、収容可能とする構成としたライト付き帽子である。
【００１６】
従って、請求項３では、請求項１の特徴、実益を達成できる、透明箇所の装飾性の向上と、照明部（ライト）、及び／又は、人に対する衝撃緩和に有効である。
【００１７】
請求項４は、請求項２に記載のライト付き帽子であって、
ラィト部には、ＬＥＤの電球を設ける構成としたライト付き帽子である。
【００１８】
従って、請求項４では、請求項１の特徴、実益を達成できる、照明部のライト部を特定できる効果がある。
【図面の簡単な説明】
【００１９】
【図１】本考案の一例を示した俯瞰図
【図２】図１の鍔部を断面視した側面図
【図３−１】本考案の照明部を取外した状態の俯瞰図
【図３−２】本考案の照明部を示した拡大俯瞰図
【図４−１】本考案の照明部を点灯した状態を示した俯瞰図
【図４−２】本考案の使用状態であって、夜間のジョキングする状態を示した俯瞰図
【図４−３】本考案の使用状態であって、夜間の釣場での所作を示した俯瞰図
【図５−１】本考案の透明箇所にワッペンを、添着し、この透明箇所を隠した状態を示した俯瞰図
【図５−２】図５−１で示したワッペンを、帽子のクラウン部前側と、弾性帯体との隙間に、収容する状態を示した俯瞰図
【考案を実施するための形態】
【００２０】
以下、本考案の各実施例を説明すると、図１〜図４−３に示した第一実施例では、帽子１の鍔２（リング形状鍔、大きい鍔等を含む）には、例えば、丸形状の透明箇所３を設ける。この透明箇所３を設ける例としては、鍔２を製作（製造）する際に、透明素材を鍔２に同時にセットして、逢着、接着して製造する例と、仕上がり（既製品）に、透明箇所相当部をカットし、このカット箇所に透明部材を添着する例、又はレンズ素材を、設ける例（図示しない）等が挙げられる。そして、この透明箇所３は、図示の帽子１では、鍔２の基端２ａから２ｃｍ程度離れた箇所より、先端２ｂより３ｃｍ程度離れた箇所が望ましい。その理由は、本考案で示した照明部５の大きさと、回転軌跡Ｒを考慮し、本体５ａに対して、略９０°に回転した際に、人Ｈの足元Ｈ１、手元Ｈ２を照らすことができる構造を考慮した。以上のことから、この透明箇所３を設ける箇所、及び／又は、大きさ等は、原則として限定されなく、本考案の目的を達成する範囲で、適宜変更される。さらに、透明箇所３は、後述する照明部の光の拡散と、透光量、照射距離等を勘案し、例えば、５〜６ｃｍの直径とする。
【００２１】
図中５は弾性帯体で、この弾性帯体５は、帽子１のクラウン部１ａの前側１ｂで、かつ鍔２の基端２ａの幅（帽子１の左右方向、図中で矢視Ｘ方向）と略同じとする。この弾性帯体５には、後述する照明部６が取付け、取外し自在に設けられる。
【００２２】
そして、前記照明部６の好ましい、図３−２を基に、その一例を説明すると、弾性帯体５に係止される切込み形状の差込み部６ａを、一方６ｂ１に対で備えた板状の本体部６ｂと、本体部６ｂの他方６ｂ２に設けた軸６ｃと、この軸６ｃを包被し、かつこの軸６ｃを中心に可動する鞘部６ｄと、この鞘部６ｄに設けたライト部６ｅと、このラィト部６ｅに設けたＬＥＤの電球７とで構成する。従って、ラィト部６ｅは、軸６ｃを中心として、例えば、９０°可動（回転）することで、電球７の方向性が決定される。この方向性は、人Ｈに悪影響を与えないことを特徴とする。即ち、照明部６の差込み部６ａを利用し、帽子１に取付けた状態で、本来の足元Ｈ１、手元Ｈ２を始めとして、前方の略９０°以上の範囲で、自由に照らせること、殊に、人Ｈに悪影響を与えずに照らせること、等の有益性がある。このように、照明部６をクラウン部１ａの前側１ｂに設けた弾性帯片５に設けることで、鍔２への負担がなく、かつ頭Ｈ３の動きがスムースであり、疲労がない、等の利点がある。この照明部６の構造・機能、又は照らす範囲、電球７等は一例であり、限定されない。また、照明部６は、差込み部６ａを利用して、簡易に取付けと、取外しができる。また、この取付け時には、頭Ｈ３の動きでは、弾性帯体５より外れない構造となっている。
【００２３】
他の一例として、５−１と図５−２に示した第二実施例は、透明箇所３が凹形状とした際に、この凹部３００に、ワッペン８を取付け可能として、図５−１では、装飾性と、変化性等を確保する。また、図５−２では、ワッペン８を、帽子１のクラウン部１ａ前側１ｂと、弾性帯体５との隙間Ｓに、収容、及び／又は、粘着等する状態であり、照明部６、及び／又は、人Ｈに対する衝撃緩和に有効である。その他として、駐車カード、通行チケット、駐車券等において、前記隙間Ｓを利用して、整理、かつ保管するに有効である。また、ワッペン８は夜光塗料、蛍光塗料等を施し、光るワッペン８とすることも有益である。
【００２４】
この使用状態の一例を、図４−１〜図４−３を基に説明すると、夜間において、照明部６の図示しないスイッチをＯＮすると、図４−１の如く、電球７が点灯する。この点灯で照らす位置は、ラィト部６ｅの方向であり、通常は、図示の如く、図４−３と図４−２の如く、足元Ｈ１、手元Ｈ２である。この足元Ｈ１、手元Ｈ２を照らすことで、ジョキングとか、夜間の釣場での、各種動作・所作の容易化、安全性、並びに安心感の確保、等が達成できる。そして、照明部６の明かりが要らない時は、スイッチをＯＦＦとする。尚、図５−１の如く、照明部６が要らず、外した場合には、透明箇所３の保護と、帽子１の装飾性等を図るために、この透明箇所３にワッペン８を取付ける。通常の帽子１と同じ雰囲気を確保する。尚、透明箇所３にワッペン８を取付けるには、粘着テープ等を利用して貼り付ける。例えば、この粘着テープは、粘着性が確保でき、かつ水洗で、市販の粘着性が復帰できる構造が望ましい。尚、帽子１、ワッペン８等の模様、形状は自由であること、また、ワッペン８は、図示しないが、透明箇所３の一部を隠す形状も可能である。
【符号の説明】
【００２５】
１          帽子
１ａ        クラウン部
１ｂ        前側
２          鍔
２ａ        基端
２ｂ        先端
３          透明箇所
５          弾性帯体
６          照明部
６ａ        差込み部
６ｂ        本体部
６ｂ１      一方
６ｂ２      他方
６ｃ        軸
６ｄ        鞘部
６ｅ        ラィト部
７          電球
８          ワッペン
Ｈ          人
Ｈ１        足元
Ｈ２        手元
Ｈ３        頭
Ｓ          隙間
【図１】
0003181306.tif 000003
【図２】
0003181306.tif 000004
【図３−１】
0003181306.tif 000005
【図３−２】
0003181306.tif 000006
【図４−１】
0003181306.tif 000007
【図４−２】
0003181306.tif 000008
【図４−３】
0003181306.tif 000009
【図５−１】
0003181306.tif 000010
【図５−２】
0003181306.tif 000011